(57)【特許請求の範囲】
【請求項１】
エアーバッグ装置をバックパッドの側部に設けた開口部の内部に組み付けてシートバックフレームのサイドプレートに取り付け、そのエアーバッグ装置の装備側を被包するトリムカバーの前面カバー部と側面カバー部との縫い合わせ目からエアーバッグの膨張展開に伴うトリムカバーの破断部を形成すると共に、片端末をトリムカバーの破断部となる縫い合わせ目に共縫いさせて伸びの少ない二枚の力布をトリムカバーの内側に備え、
前記二枚の力布はトリムカバーの破断部となる縫い合わせ目から二方向に分け、片方の力布はバックパッドの開口部から内側に引き込み、他方の力布はエアーバッグ装置の前面側からバックパッドの後部側に巻き込んで、前記エアーバッグ装置を前記二枚の力布により包み込み、
前記エアーバッグをトリムカバーの破断部からインフレータより発生する出力圧で外方に向けて膨張展開可能に組み付けるサイドエアーバッグ装置を備える車輌用シートにおいて、
前記シートバックフレームの後方に延在するサイドプレートの端部縁に、折曲げフックを設け、
前記片方の力布の引込み側の端末に、前記エアーバッグ装置と前記サイドプレートの間に挟み込むあてがいプレートを備え、
前記他方の力布の巻込み側の端末に、トリムワイヤを備え、
前記あてがいプレートは、前記エアーバッグ装置と前記サイドプレートの間に挟み込んで前記エアーバッグ装置の締付けボルトで前記サイドプレートの板面に共締め固定し、
前記片方の力布の引込み側は、前記あてがいプレートで端末止着し、
前記トリムワイヤは、前記あてがいプレートの折曲げフックに掛け止め、
前記他方の力布の巻込み側は、前記トリムワイヤで端末止着してなることを特徴とするサイドエアーバッグ装置を備える車輌用シート。
【発明の詳細な説明】
【０００１】
【発明の属する技術分野】
本発明は、エアーバッグ装置をシートバックフレームのサイドプレートに取り付け、そのエアーバッグ装置の装備側を被包するトリムカバーの前面カバー部と側面カバー部との縫い合わせた縫い目からエアーバッグの膨張展開に伴うトリムカバーの破断部を形成し、このトリムカバーの破断部からインフレータより発生する出力圧で外方に向けて膨張展開可能なエアーバッグを有するサイドエアーバッグ装置を備える車輌用シートの改良に関するものである。
【０００２】
【従来の技術】
サイドエアーバッグ装置を備える車輌用シートとしては、各端末をトリムカバーの破断部となる縫い合わせ目に共縫い縫いさせて伸びの少ない二枚の力布をトリムカバーの内側に備え、その各力布をトリムカバーの前面カバー部並びに側面カバー部の内側に沿わせて配置すると共に、他端末を別方向からシートバックフレーム側に夫々連結固定することによりエアーバッグ装置の装備領域を力布で覆うものが提案されている（特開平１１−７８７６２号）。
【０００３】
そのサイドエアーバッグ装置を備える車輌用シートでは、インフレータの出力圧を低く設定しても、エアーバッグの膨張圧を力布でトリムカバーの破断部に瞬時に集中させ、トリムカバーの破断部となる縫い合わせ目を速やかに切れ出せ、トリムカバーの破断部をエアーバッグの膨張圧で確実に裂断可能でエアーバッグの膨張バランス，展開方向性も安定よく定められるところから好ましい。
【０００４】
【発明が解決しようとする課題】
本発明は、部分点数を増やさずに、エアーバッグの膨張展開を力布で確実に保証できるよう二枚備える力布を少ない工数で容易に組付け可能に構成するサイドエアーバッグ装置を備える車輌用シートを提供することを目的とする。
【０００５】
【課題を解決するための手段】
本発明に係るサイドエアーバッグ装置を備える車輌用シートにおいては、エアーバッグ装置をバックパッドの側部に設けた開口部の内部に組み付けてシートバックフレームのサイドプレートに取り付け、そのエアーバッグ装置の装備側を被包するトリムカバーの前面カバー部と側面カバー部との縫い合わせ目からエアーバッグの膨張展開に伴うトリムカバーの破断部を形成すると共に、片端末をトリムカバーの破断部となる縫い合わせ目に共縫いさせて伸びの少ない二枚の力布をトリムカバーの内側に備え、
前記二枚の力布はトリムカバーの破断部となる縫い合わせ目から二方向に分け、片方の力布はバックパッドの開口部から内側に引き込み、他方の力布はエアーバッグ装置の前面側からバックパッドの後部側に巻き込んで、前記エアーバッグ装置を前記二枚の力布により包み込み、
前記エアーバッグをトリムカバーの破断部からインフレータより発生する出力圧で外方に向けて膨張展開可能に組み付けるもので、
前記シートバックフレームの後方に延在するサイドプレートの端部縁に、折曲げフックを設け、
前記片方の力布の引込み側の端末に、前記エアーバッグ装置と前記サイドプレートの間に挟み込むあてがいプレートを備え、
前記他方の力布の巻込み側の端末に、トリムワイヤを備え、
前記あてがいプレートは、前記エアーバッグ装置と前記サイドプレートの間に挟み込んで前記エアーバッグ装置の締付けボルトで前記サイドプレートの板面に共締め固定し、
前記片方の力布の引込み側は、前記あてがいプレートで端末止着し、
前記トリムワイヤは、前記あてがいプレートの折曲げフックに掛け止め、
前記他方の力布の巻込み側は、前記トリムワイヤで端末止着することにより構成されている。
【０００６】
【発明の実施の形態】
以下、添付図面を参照して説明すると、図１はエアーバッグ装置１を車の前方側から見てシートバックＢの右側部縦方向に収容装備するアシスタントシートを示す。このアシスタントシートでは、シートバックＢのトリムカバー２においてエアーバッグの膨張展開に伴う破断部３がエアーバッグ装置１の装備側を被包する前面カバー部２ａ（バケットシートの場合、バックパッドの土手部を被包するカバー部分）と側面カバー部２ｂとの端末間を縫い合わせた縫い目で形成されている。
【０００７】
エアーバッグ装置１は、特に図示しないインフレータ，エアーバッグをエアーバッグケースの内部に組付け収容し、エアーバッグモジュールとして車体側に装備する衝撃センサーと回路接続することによりシートバックＢの内部に備え付けられる。
【０００８】
そのエアーバッグ装置１は、図２で示すようにケース蓋をエアーバッグの膨張圧で開放可能にケース本体とヒンジで連結したエアーバッグケースを備え、このエアーバッグケースをバックパッド４の開口部５の内部に組み付けてケース本体より突出する締付けボルト６でシートバックフレーム７のサイドプレート８に取付け固定することによりシートバックＢの側部に内蔵されている。
【０００９】
トリムカバー２は、本革，合皮，ファブリック等の単材または表皮材，ワディング材，裏打材を三者一体に積層形成したワディングカバーを用いて形成できる。このトリムカバー２は土手部を有するシートバックＢに対応し、座面中央から左右の土手面を被包する前面カバー部２ａと周側面から背面に至る側面カバー部２ｂとを縫い合わせ、更に、図３で示すように背面カバー部２ｃをスライドファスナー２ｄ，２ｅで開閉自在に備えることにより袋状に縫製されている。
【００１０】
そのトリムカバー２は通常の使い勝手に耐えられる８番手程度の糸を上下の縫い糸とし、全体をミシン掛けすることにより所定の袋状に縫製することができる。また、一般部は８番手程度の糸を上下の縫い糸として縫製し、トリムカバー２の破断部３となる縫い目は８番手程度の糸と２０番手程度の糸とを上下の縫い糸として縫い合わせることにより通常の使い勝手に耐えられる強度を保ってエアーバッグの膨張による応力で裂断し易く縫製することもできる。
【００１１】
そのトリムカバー２には、二枚の力布９，１０が破断部３を形成する縫い合わせ目と片端末を共縫いすることにより内側に備え付けられている。この力布９，１０としては、ポリエステル不織布や綿布等のエアーバッグの膨張圧を受けても伸びの少ない材質のものが用いられている。また、図２で示すようにトリムカバー２の破断部３を形成する縫い合わせ目から二方向に分けてシートバックフレーム７のサイドプレート８に取付け固定するエアーバッグ装置１を包み込むよう備え付けられている。
【００１２】
片方の力布９は、図２で示すようにバックパッド４の開口部５から内側に引き込むと共に、当該力布９の他端末に備え付けたあてがいプレート１１で端末止着することにより組み付けられている。このあてがいプレート１１は、エアーバッグ装置１とサイドプレート８の間に挟み込んでエアーバッグ装置１の締付けボルト６で共締め固定することにより備え付けられている。
【００１３】
他方の力布１０は、図２で示すようにエアーバッグ装置１の前面側からバックパッド４の後部側に巻き込むと共に、当該力布１０の他端末に備え付けたトリムワイヤ１２をシートバックフレーム７の後方に延在するサイドプレート８の端部縁に掛け止めて端末止着されている。
【００１４】
その力布１０のトリムワイヤ１２は、図３で示すように力布１０の端末に設けた縁取り袋１０ａの内部に挿通し、軸線を縁取り袋１０ａの切欠部１０ｂ，１０ｃより一部露出するよう備え付けられている。また、サイドプレート８の端部縁には図４で示すようにトリムワイヤ１２を縁取り袋１０ａから露出する軸線で掛け止める折曲げフック８ａ，８ｂが設けられている。
【００１５】
このように構成するサイドエアーバッグ装置を備える車輌用シートでは、エアーバッグ装置１を力布９，１０の内側に包み込んでシートバックフレーム７のサイドプレート８に取付け装備するため、エアーバッグの膨張圧を力布９，１０で直に受けてトリムカバー２の破断部３に効率よく集中させ、インフレータの出力圧が低くても、トリムカバー２の破断部３を速やかに切れ出させられるから、トリムカバー２の破断部３をエアーバッグの膨張圧で確実に裂断可能に組み立てられる。
【００１６】
その力布９，１０は、エアーバッグ装置１とサイドプレート８の間に挟み込んでエアーバッグ装置１の締付けボルト６で共締め固定するあてがいプレート１１を片方９に備え、一方、トリムワイヤ１２を他方１０の端末に備えてシートバックフレーム７の後方に延在するサイドプレート８の端部縁に設けた折曲げフック８ａ，８ｂに掛け止めることにより端末止着するため、部品点数を少なく容易に組み付けできてエアーバッグ装置１を確実に包込み収容できる。
【００１７】
なお、上述した力布９，１０としてはトリムカバー２の前面カバー部２ａと側面カバー部２ｂの端末と共縫いする片端末側を短い辺とし、他端末側を長い辺とする略台形乃至は略三角巾状に裁断したものを備え付けるとよい。
【００１８】
その力布によると、エアーバッグ装置１の縦方向略中央に相応する位置でトリムカバー２の破断部３を形成する縫い合わせ目の局所と短い辺側で共縫いすることにより、広い面積側で受けたエアーバッグの膨張による応力を力布の相対する斜辺から短い辺側に集中させ、縫い糸を各短い辺の縫い代で強く離間方向に引っ張れるから、当該部分の縫い糸を瞬時に切ってトリムカバー２の破断部３を確実に裂断させられる。
【００１９】
【発明の効果】
以上の如く、本発明に係るサイドエアーバッグ装置を備える車輌用シートに依れば、折曲げフックをシートバックフレームの後方に延在するサイドプレートの端部縁に設け、エアーバッグ装置とサイドプレートの間に挟み込むあてがいプレートをバックパッドの開口部から内側に引き込む片方の力布の端末に備え、トリムワイヤをエアーバッグ装置の前面側からバックパッドの後部側に巻き込む他方の力布の端末に備え、あてがいプレートをエアーバッグ装置とサイドプレートの間に挟み込んでエアーバッグ装置の締付けボルトでサイドプレートの板面に共締め固定することにより、片方の力布の引込み側を端末止着すると共に、トリムワイヤをサイドプレートの折曲げフックに掛け止めて他方の力布の巻込み側を端末止着するため、エアーバッグの膨張に伴ってトリムカバーの破断部を力布で確実に裂断可能に組み立てられることは勿論、部品点数を少なく容易に組み付けできてエアーバッグ装置を力布で確実に包込み収容することができる。
【図面の簡単な説明】
【図１】  本発明に係るサイドエアーバッグ装置を備える車輌用シートを全体的に示す斜視図である。
【図２】  同車輌用シートの片側部を示す部分断面図である。
【図３】  同車輌用シートのトリムカバーを背部の開放状態で示す斜視図である。
【図４】  同車輌用シートのシートバックフレームを後部側から示す斜視図である。
【符号の説明】
１                  エアーバッグ装置
２                  トリムカバー
２ａ                トリムカバーの前面カバー部
２ｂ                トリムカバーの側面カバー部
３                  トリムカバーの破断部
４                  バッグバッド
５                  バックパッドの開口部
６                  エアーバッグ装置の締付けボルト
７                  シートバックフレーム
８                  サイドプレート
８ａ，８ｂ 折曲げフック
９，１０            力布
１１                あてがいプレート
１２                トリムワイヤ
【図１】
0004521500.tif 000002
【図２】
0004521500.tif 000003
【図３】
0004521500.tif 000004
【図４】
0004521500.tif 000005